(57)【要約】【課題】より一層の低剛性化を図ることができ、トルク変動に対する減衰率をより高めることにより、十分な振動吸収特性を得ることができるトルクダンパ装置を提供する。【解決手段】エンジンのトルクが入力されるクラッチピストン１１と、クラッチピストン１１から入力されたトルクの変動を吸収し得るダンパスプリングとを具備し、当該クラッチピストン１１及びダンパスプリングを介してエンジンの駆動力が伝達され得るトルクダンパ装置１０において、ダンパスプリングは、クラッチピストン１１の周方向に亘って配設された複数のコイルスプリング（Ｓ１〜Ｓ３）から成るとともに、それぞれのダンパスプリング（Ｓ１〜Ｓ３）の間に介在し、エンジンのトルクが伝達されると互いに独立して回転可能な第１別体部材１４及び第２別体部材１５を有するものである。【選択図】図２
2014156923.tif 000002
【特許請求の範囲】
【請求項１】
エンジンのトルクが入力される入力部材と、
該入力部材から入力されたトルクの変動を吸収し得るダンパスプリングと、
を具備し、当該入力部材及びダンパスプリングを介してエンジンの駆動力が伝達され得るトルクダンパ装置において、
前記ダンパスプリングは、前記入力部材の周方向に亘って配設された複数のコイルスプリングから成るとともに、それぞれのダンパスプリングの間に介在し、エンジンのトルクが伝達されると互いに独立して回転可能な複数の別体部材を有することを特徴とするトルクダンパ装置。
【請求項２】
前記ダンパスプリングは、伸縮方向に対して略直線状のストレート状コイルスプリングから成ることを特徴とする請求項１記載のトルクダンパ装置。
【請求項３】
前記別体部材は、第１別体部材及び第２別体部材から成り、前記ダンパスプリングは、第１ダンパスプリング、第２ダンパスプリング及び第３ダンパスプリングを有するものとされ、前記入力部材から入力されたトルクが、第１ダンパスプリング、第１別体部材、第２ダンパスプリング、第２別体部材、及び第３ダンパスプリングを介して出力されるよう構成されたことを特徴とする請求項１又は請求項２記載のトルクダンパ装置。
【請求項４】
前記第１別体部材は、前記ダンパスプリングの外周側に位置して当該ダンパスプリングの側面と対峙する外壁部を有するとともに、前記第２別体部材は、前記ダンパスプリングの内周側に位置して当該ダンパスプリングの側面と対峙する内壁部を有することを特徴とする請求項３記載のトルクダンパ装置。
【請求項５】
前記入力部材は、トルクコンバータのトルコンカバー内に配設され、当該トルコンカバーに対して連結位置と非連結位置とで移動可能とされるとともに、連結位置でエンジンのトルクが伝達されて回転可能なクラッチピストンから成り、当該クラッチピストンが連結位置のとき、エンジンのトルクを前記トルクコンバータのタービンに伝達可能とされたことを特徴とする請求項１〜４の何れか１つに記載のトルクダンパ装置。
【発明の詳細な説明】
【技術分野】
【０００１】
本発明は、入力部材及びダンパスプリングを介してエンジンの駆動力が伝達され得るトルクダンパ装置に関するものである。
【背景技術】
【０００２】
自動車（主にＡＴ車）等に配設されるトルクコンバータには、通常、液体（作動油）を略液密状態で収容するトルコンカバー内に、当該トルコンカバーと共に回転するポンプと、該ポンプと対峙したタービンと、一方向クラッチに接続されたステータとが配設されており、ポンプの回転が液体を介してタービンに伝達されるとともに、その伝達トルクが増幅され得るよう構成されている。これにより、エンジンの駆動力が液体を介して増幅され、ミッション及び駆動輪へ伝達され得るようになっている。
【０００３】
ロックアップクラッチ装置（トルクダンパ装置）は、上記トルクコンバータのトルコンカバー内に配設され、任意タイミングでトルコンカバーとタービンとを直結することにより、液体によるトルク伝達に比べ、トルクの伝達ロスの低減を図るためのものである。すなわち、ロックアップクラッチ装置は、タービンと連結されたクラッチピストンを有しており、かかるクラッチピストンがトルコンカバーの内周壁に当接した連結位置と、離間した非連結位置との間で移動可能とされ、連結位置のとき、トルコンカバーとタービンとがクラッチピストンを介して直結（機械的に連結）されるのである。
【０００４】
そして、通常のロックアップクラッチ装置には、トルコンカバーとタービンとが直結された状態において、エンジンからのトルク変動を吸収すべくダンパスプリングが配設されている。かかるダンパスプリングは、通常、クラッチピストンの外周縁に沿って円弧状に配設されたコイルスプリングから成るものであり、クラッチピストンが連結位置にあるとき、エンジンから伝達されるトルクの変動を吸収すべく変位（伸縮変位）し得るよう構成されている。
【０００５】
従来のロックアップクラッチとして、例えば特許文献１にて開示されているように、エンジンのトルクが入力されるピストン（入力部材）と、該ピストンから入力されたトルクの変動を吸収し得る弾性部材（ダンパスプリング）と、該弾性部材を介して伝達されたトルクを出力する出力回転部材（出力部材）とを具備し、当該ピストン、弾性部材及び出力回転部材を介してエンジンの駆動力が伝達され得るよう構成されたものが挙げられる。
【０００６】
かかる従来のロックアップクラッチ装置には、ピストン及び出力回転部材とは別体とされ、当該ピストン及び出力回転部材に対して相対回転可能なサポート部材が配設されており、弾性部材を直列に作用させ、且つ、当該サポート部材を中間フロート体として機能させることで、捩り角度を大きく設定できるとともに、全体の低剛性化を可能としつつ振動吸収性能を向上させることができるようになっている。
【先行技術文献】
【特許文献】
【０００７】
【特許文献１】特開２００２−４８２１７号公報
【発明の概要】
【発明が解決しようとする課題】
【０００８】
しかしながら、上記従来技術においては、単一のサポート部材を有するのみであったため、ある程度の振動吸収性能を期待することはできるものの、全体の低剛性化を更に向上させ、トルク変動に対する減衰率を向上させて、より高い振動吸収性能を得るには未だ不十分であった。なお、このような問題は、トルクコンバータ内に配設されるロックアップクラッチ装置に限らず、エンジンからのトルク変動を吸収するためのトルクダンパ装置全般においても同様である。
【０００９】
本発明は、このような事情に鑑みてなされたもので、より一層の低剛性化を図ることができ、トルク変動に対する減衰率をより高めることにより、十分な振動吸収特性を得ることができるトルクダンパ装置を提供することにある。
【課題を解決するための手段】
【００１０】
請求項１記載の発明は、エンジンのトルクが入力される入力部材と、該入力部材から入力されたトルクの変動を吸収し得るダンパスプリングとを具備し、当該入力部材及びダンパスプリングを介してエンジンの駆動力が伝達され得るトルクダンパ装置において、前記ダンパスプリングは、前記入力部材の周方向に亘って配設された複数のコイルスプリングから成るとともに、それぞれのダンパスプリングの間に介在し、エンジンのトルクが伝達されると互いに独立して回転可能な複数の別体部材を有することを特徴とする。
【００１１】
請求項２記載の発明は、請求項１記載のトルクダンパ装置において、前記ダンパスプリングは、伸縮方向に対して略直線状のストレート状コイルスプリングから成ることを特徴とする。
【００１２】
請求項３記載の発明は、請求項１又は請求項２記載のトルクダンパ装置において、前記別体部材は、第１別体部材及び第２別体部材から成り、前記ダンパスプリングは、第１ダンパスプリング、第２ダンパスプリング及び第３ダンパスプリングを有するものとされ、前記入力部材から入力されたトルクが、第１ダンパスプリング、第１別体部材、第２ダンパスプリング、第２別体部材、及び第３ダンパスプリングを介して出力されるよう構成されたことを特徴とする。
【００１３】
請求項４記載の発明は、請求項３記載のトルクダンパ装置において、前記第１別体部材は、前記ダンパスプリングの外周側に位置して当該ダンパスプリングの側面と対峙する外壁部を有するとともに、前記第２別体部材は、前記ダンパスプリングの内周側に位置して当該ダンパスプリングの側面と対峙する内壁部を有することを特徴とする。
【００１４】
請求項５記載の発明は、請求項１〜４の何れか１つに記載のトルクダンパ装置において、前記入力部材は、トルクコンバータのトルコンカバー内に配設され、当該トルコンカバーに対して連結位置と非連結位置とで移動可能とされるとともに、連結位置でエンジンのトルクが伝達されて回転可能なクラッチピストンから成り、当該クラッチピストンが連結位置のとき、エンジンのトルクを前記トルクコンバータのタービンに伝達可能とされたことを特徴とする。
【発明の効果】
【００１５】
請求項１の発明によれば、ダンパスプリングは、入力部材の周方向に亘って配設された複数のコイルスプリングから成るとともに、それぞれのダンパスプリングの間に介在し、エンジンのトルクが伝達されると互いに独立して回転可能な複数の別体部材を有するので、より一層の低剛性化を図ることができ、トルク変動に対する減衰率をより高めることにより、十分な振動吸収特性を得ることができる。
【００１６】
請求項２の発明によれば、ダンパスプリングは、伸縮方向に対して略直線状のストレート状コイルスプリングから成るので、トルク変動の吸収時に外周の壁面に当接して摺動してしまうのを抑制することができ、摺動抵抗を低減させることができる。したがって、ダンパスプリングのヒストルクを低減させ、トルク変動に対する減衰率をより一層高めることができる。
【００１７】
請求項３の発明によれば、別体部材は、第１別体部材及び第２別体部材から成り、ダンパスプリングは、第１ダンパスプリング、第２ダンパスプリング及び第３ダンパスプリングを有するものとされ、入力部材から入力されたトルクが、第１ダンパスプリング、第１別体部材、第２ダンパスプリング、第２別体部材、及び第３ダンパスプリングを介して出力されるよう構成されたので、より簡易な構成にて、より一層の低剛性化を図ることができ、トルク変動に対する減衰率をより高めることにより、十分な振動吸収特性を得ることができる。
【００１８】
請求項４の発明によれば、第１別体部材は、ダンパスプリングの外周側に位置して当該ダンパスプリングの側面と対峙する外壁部を有するとともに、第２別体部材は、ダンパスプリングの内周側に位置して当該ダンパスプリングの側面と対峙する内壁部を有するので、第１別体部材の外壁部及び第２別体部材の内壁部の間にダンパスプリングを保持させることができる。
【００１９】
請求項５の発明によれば、入力部材は、トルクコンバータのトルコンカバー内に配設され、当該トルコンカバーに対して連結位置と非連結位置とで移動可能とされるとともに、連結位置でエンジンのトルクが伝達されて回転可能なクラッチピストンから成り、当該クラッチピストンが連結位置のとき、エンジンのトルクをトルクコンバータのタービンに伝達可能とされたので、トルクコンバータのロックアップクラッチ装置に適用することができる。
【図面の簡単な説明】
【００２０】
【図１】本発明の実施形態に係るロックアップクラッチ装置を示す断面図
【図２】同ロックアップクラッチ装置を示す正面図
【図３】図２におけるＩＩＩ−ＩＩＩ線断面図
【図４】図２におけるＩＶ−ＩＶ線断面図
【図５】図２におけるＶ−Ｖ線断面図
【図６】図２におけるＶＩ−ＶＩ線断面図
【図７】図２におけるＶＩＩ−ＶＩＩ線断面図
【図８】図２におけるＶＩＩＩ−ＶＩＩＩ線断面図
【図９】同ロックアップクラッチ装置におけるクラッチピストン（入力部材）を示す正面図
【図１０】同ロックアップクラッチ装置におけるクラッチピストン（入力部材）を示す縦断面図
【図１１】同ロックアップクラッチ装置におけるダンパホルダを示す正面図
【図１２】図１１におけるＸＩＩ−ＸＩＩ線断面図
【図１３】同ロックアップクラッチ装置における第１別体部材を示す正面図
【図１４】図１３におけるＸＩＶ−ＸＩＶ線断面図
【図１５】同ロックアップクラッチ装置における第２別体部材を示す正面図
【図１６】図１５におけるＸＶＩ−ＸＶＩ線断面図
【図１７】本発明のロックアップクラッチ装置の技術的優位性（ダンパ特性）を示す実験結果
【図１８】本発明のロックアップクラッチ装置の技術的優位性（ヒストルク）を示す実験結果
【図１９】本発明のロックアップクラッチ装置の技術的優位性（減衰率）を示す実験結果
【発明を実施するための形態】
【００２１】
以下、本発明の実施形態について図面を参照しながら具体的に説明する。
本実施形態に係るトルクダンパ装置としてのロックアップクラッチ装置１０は、トルクコンバータ１（流体継手）内に配設されたもので、図１〜８に示すように、入力部材としてのクラッチピストン１１と、第１別体部材１４と、第２別体部材１５と、ダンパスプリング（第１ダンパスプリングＳ１、第２ダンパスプリングＳ２及び第３ダンパスプリングＳ３）とから主に構成されており、クラッチピストン１１が連結位置にあるとき、トルコンカバー５に入力されたエンジンのトルクを当該クラッチピストン１１、第１別体部材１４、第２別体部材１５及びダンパスプリングを介してタービン３に伝達するためのものである。
【００２２】
トルクコンバータ１は、自動車（主にＡＴ車）等に配設され、そのエンジン（不図示）からのトルクを増幅してミッションに伝達するためのもので、当該エンジンの駆動力が伝達されて軸回りに回転可能とされるとともに液体（作動油）を液密状態で収容したトルコンカバー５と、該トルコンカバー５に形成されて当該トルコンカバー５と共に回転するポンプ２と、該ポンプ２と対峙しつつトルコンカバー５内に回転可能に配設され、出力軸６と連結されたタービン３と、一方向クラッチ８を介して車両のトランスミッションに支持されて回転しないステータシャフト７と連結されたステータ４とを具備するとともに、トルコンカバー５の内壁面とタービン３との間にロックアップクラッチ装置１０を内在して成るものである。
【００２３】
トルコンカバー５は、車両のクランクシャフトと連結されており、エンジンが駆動するとその駆動力がトルコンカバー５に伝達されるよう構成されている。そして、エンジンの駆動力にてトルコンカバー５及びポンプ２が回転すると、その回転トルクが液体（作動油）を介してタービン３側にトルク増幅されつつ伝達される。そして、トルク増幅されてタービン３が回転すると、該タービン３とスプライン嵌合した出力軸６が回転し、車両が具備するトランスミッションに当該トルクが伝達される。
【００２４】
ロックアップクラッチ装置１０は、任意タイミングでトルコンカバー５とタービン３とを直結（機械的な連結）することにより、液体によるトルク伝達に比べ、トルクの伝達ロスの低減を図るためのものである。クラッチピストン１１は、図９、１０に示すように、略円板形状の部材から成り、車両のエンジンのトルクが入力されるものであり、トルコンカバー５の内壁面との間における流体（作動油）を陰圧とし、又は陰圧を解除することにより、図１中左右方向へ移動可能とされている。
【００２５】
また、クラッチピストン１１の外周縁部には、略円環状の摩擦材１２（ライニング）が形成されており、トルコンカバー５の内壁面との間の部位における流体が陰圧とされると、クラッチピストン１１が図１中右側に移動し、摩擦材１２を介してトルコンカバー５の内壁面に当接し、その摩擦係合によって両者が連結される（この位置を連結位置と呼ぶ）一方、陰圧が解除されて、クラッチピストン１１が図１中左側に移動し、トルコンカバー５の内壁面から離間すると、両者の連結が解かれる（この位置を非連結位置と呼ぶ）よう構成されている。しかして、クラッチピストン１１が連結位置のとき、エンジンのトルクをトルクコンバータ１のタービン３に伝達可能とされている。
【００２６】
さらに、クラッチピストン１１には、図２に示すように、リベットＲにより一対のダンパホルダ１３がそれぞれ固定されている。かかるダンパホルダ１３は、図１１、１２に示すように、屈曲部１３ａが形成されており、この屈曲部１３ａに第１ダンパスプリングＳ１の一端が係止し得るようになっている。また、ダンパホルダ１３における屈曲部１３ａの内側には、タービン３から延設された連結部９を挿通させ得る挿通部１３ａａが形成されている。なお、クラッチピストン１１には、カバー部材Ｋが固定されており、当該クラッチピストン１１に取り付けられたダンパスプリング（第１ダンパスプリングＳ１、第２ダンパスプリングＳ２及び第３ダンパスプリングＳ３）を覆って保持し得るようになっている。
【００２７】
一方、クラッチピストン１１の正面側（摩擦材１２が形成された面とは反対の面側）には、その周縁に沿って凹状の取付部が形成されており、当該取付部に複数のダンパスプリングが同心円上に取り付けられている。かかるダンパスプリングは、クラッチピストン１１（入力部材）から入力されたトルクの変動を吸収（言い換えるならば、トルクの変動を減衰）し得るもので、本実施形態においては、第１ダンパスプリングＳ１、第２ダンパスプリングＳ２及び第３ダンパスプリングＳ３が一対ずつ取り付けられている。
【００２８】
より具体的には、ダンパスプリング（第１ダンパスプリングＳ１、第２ダンパスプリングＳ２及び第３ダンパスプリングＳ３）は、クラッチピストン１１（入力部材）の周方向に亘って同心円上に複数配設されたコイルスプリングから成り、クラッチピストン１１の正面視で右側の群、及び左側の群にそれぞれ第１ダンパスプリングＳ１、第２ダンパスプリングＳ２及び第３ダンパスプリングＳ３が取り付けられ、それぞれの群において、第１ダンパスプリングＳ１、第２ダンパスプリングＳ２及び第３ダンパスプリングＳ３が直列に作用するようになっている。
【００２９】
特に、本実施形態に係るダンパスプリングは、伸縮方向（変位方向）に対して略直線状のストレート状コイルスプリングから成るものとされている。なお、ストレート状コイルスプリングをクラッチピストン１１の取付部に取り付けると、僅かに弧状に変形するものとされているが、アーク状のものに比べて、外壁部１４ｃに対して摺動する箇所が少なくなっている。しかるに、本実施形態に係るストレート状のコイルスプリングに代えて、伸縮方向（変位方向）に対して円弧状に屈曲したアーク形状のコイルスプリングを用いるようにしてもよい。
【００３０】
ここで、本実施形態においては、それぞれのダンパスプリングの間（第１ダンパスプリングＳ１と第２ダンパスプリングＳ２との間、及び第２ダンパスプリングＳ２と第３ダンパスプリングＳ３との間）に介在し、エンジンのトルクが伝達されると互いに独立して回転可能（すなわち、相対的に回転可能）な複数の別体部材（本実施形態においては、第１別体部材１４及び第２別体部材１５）を有する。
【００３１】
第１別体部材１４は、図１３、１４に示すように、円環状に形成された部材から成り、所定部位に形成された一対の折り曲げ部１４ａと、上縁部１４ｂと、外壁部１４ｃとを有している。折り曲げ部１４ａは、クラッチピストン１１に第１別体部材１４を取り付けた状態で、第１ダンパスプリングＳ１と第２ダンパスプリングＳ２との間に位置するものであり、当該第１ダンパスプリングＳ１の他端、及び第２ダンパスプリングＳ２の一端にそれぞれ当接可能な部位とされている。
【００３２】
外壁部１４ｃは、第１別体部材１４の外縁の全周に亘って形成された部位であり、ダンパスプリング（第１ダンパスプリングＳ１、第２ダンパスプリングＳ２及び第３ダンパスプリングＳ３）の外周側に位置して当該ダンパスプリングの側面（変位方向に延びる外面）と対峙するよう構成されている。また、上縁部１４ｂは、外壁部１４ｃから内側に向かって延設された部位であり、第１別体部材１４の外縁の所定範囲に亘って形成され、ダンパスプリングを覆うようになっている。
【００３３】
第２別体部材１５は、図１５、１６に示すように、円環状に形成された部材から成り、所定部位に形成された一対の係止部１５ａと、内壁部１５ｂとを有している。係止部１５ａは、クラッチピストン１１に第２別体部材１５を取り付けた状態で、第２ダンパスプリングＳ２と第３ダンパスプリングＳ３との間に位置するものであり、その一方の縁面１５ａａが当該第２ダンパスプリングＳ２の他端、及び他方の縁面１５ａｂが第３ダンパスプリングＳ３の一端にそれぞれ当接可能な部位とされている。
【００３４】
内壁部１５ｂは、第２別体部材１５の外縁の全周に亘って形成された部位であり、ダンパスプリング（第１ダンパスプリングＳ１、第２ダンパスプリングＳ２及び第３ダンパスプリングＳ３）の内周側に位置して当該ダンパスプリングの側面と対峙するよう構成されている。しかして、クラッチピストン１１の周縁に取り付けられたダンパスプリング（第１ダンパスプリングＳ１、第２ダンパスプリングＳ２及び第３ダンパスプリングＳ３）は、図３〜８で示されるように、第１別体部材１４の外壁部１４ｃと第２別体部材１５の内壁部１５ｂの間に保持されることとなる。
【００３５】
また、第３ダンパスプリングＳ３の他端は、ダンパホルダ１３の挿通部１３ａａに位置する連結部９と当接可能とされている。しかして、クラッチピストン１１（入力部材）から入力されたエンジンのトルクは、ダンパホルダ１３、第１ダンパスプリングＳ１、第１別体部材１４の折り曲げ部１４ａ、第２ダンパスプリングＳ２、第２別体部材１５の係止部１５ａ、第３ダンパスプリングＳ３を介して出力されるよう構成されており、各ダンパスプリングによってトルクの変動が吸収された後、連結部９を介してタービン３に出力されるようになっている。
【００３６】
次に、本発明に係るロックアップクラッチ装置１０（トルクダンパ装置）の技術的優位性を示す実験結果について以下に説明する。
上記実施形態の如く、第１別体部材１４及び第２別体部材１５を具備しつつダンパスプリングがストレート状のコイルスプリングから成るものを実施例１とし、第１別体部材１４及び第２別体部材１５を具備しつつダンパスプリングがアーク状（円弧状）のコイルスプリングから成るものを実施例２とするとともに、ダンパスプリングをアーク状のコイルスプリングとし、第１別体部材１４のみを介在させたものを比較例１、ダンパスプリングをストレート状のコイルスプリングとし、第１別体部材１４のみを介在させたものを比較例２とした。
【００３７】
まず、実施例１、比較例１、２について、捩り角度（ｄｅｇ）とトルク（Ｎ・ｍ）との関係（横軸を捩り角度−縦軸をトルク）について実験したところ、図１７に示すような関係を得ることができた。かかる実験結果によれば、実施例１は、比較例１、２に比べ、ダンパスプリングが全体として低剛性であり、より広い範囲の捩り角度を有することが分かる。また、実施例１、２及び比較例１、２について、回転数（ｒｐｍ）とヒストルク（Ｎ・ｍ）との関係（横軸を回転数−縦軸をヒストルク）について実験したところ、図１８に示すような関係を得ることができた。かかる実験結果によれば、特に、実施例１は、比較例２と略同等であるものの、比較例１に比べ、全回転数に亘ってヒストルクを抑制することができ、摺動抵抗が低いことが分かる。
【００３８】
さらに、実施例１、２及び比較例１、２について、回転数（ｒｐｍ）と減衰率（ｄＢ）との関係（横軸を回転数−縦軸を減衰率）について実験したところ、図１９に示すような関係を得ることができた。かかる実験結果によれば、実施例１、２は、比較例１、２に比べ、全回転数に亘って減衰率が高いことが分かり、減衰性能に優れていることが分かる。また、実施例２に比べ、実施例１の方が全回転数に亘って減衰率が高いことから、ダンパスプリングがストレート状のコイルスプリングから成るものを用いれば、減衰性能をより向上させ得ることが分かる。
【００３９】
上記実施形態によれば、ダンパスプリング（第１ダンパスプリングＳ１、第２ダンパスプリングＳ２及び第３ダンパスプリングＳ３）は、クラッチピストン１１（入力部材）の周方向に亘って配設された複数のコイルスプリングから成るとともに、それぞれのダンパスプリングの間に介在し、エンジンのトルクが伝達されると互いに独立して回転可能な複数の別体部材（第１別体部材１４及び第２別体部材１５）を有するので、より一層の低剛性化を図ることができ、トルク変動に対する減衰率をより高めることにより、十分な振動吸収特性を得ることができる。
【００４０】
また、本実施形態に係るダンパスプリングは、伸縮方向に対して略直線状のストレート状コイルスプリングから成るので、トルク変動の吸収時に外周の壁面（本実施形態においては外壁部１４ｃ）に当接して摺動してしまうのを抑制することができ、摺動抵抗を低減させることができる。したがって、ダンパスプリングのヒストルクを低減させ、トルク変動に対する減衰率をより一層高めることができる。
【００４１】
さらに、本実施形態に係る別体部材は、第１別体部材１４及び第２別体部材１５から成り、ダンパスプリングは、第１ダンパスプリングＳ１、第２ダンパスプリングＳ２及び第３ダンパスプリングＳ３を有するものとされ、クラッチピストン１１（入力部材）から入力されたトルクが、第１ダンパスプリングＳ１、第１別体部材１４、第２ダンパスプリングＳ２、第２別体部材１５、及び第３ダンパスプリングＳ３を介して出力されるよう構成されたので、より簡易な構成にて、より一層の低剛性化を図ることができ、トルク変動に対する減衰率をより高めることにより、十分な振動吸収特性を得ることができる。
【００４２】
またさらに、本実施形態によれば、第１別体部材１４は、ダンパスプリングの外周側に位置して当該ダンパスプリングの側面と対峙する外壁部１４ｃを有するとともに、第２別体部材１５は、ダンパスプリングの内周側に位置して当該ダンパスプリングの側面と対峙する内壁部１５ｂを有するので、第１別体部材１４の外壁部１４ｃ及び第２別体部材１５の内壁部１５ｂの間にダンパスプリングを保持させることができる。
【００４３】
また、本実施形態に係る入力部材は、トルクコンバータ１のトルコンカバー５内に配設され、当該トルコンカバー５に対して連結位置と非連結位置とで移動可能とされるとともに、連結位置でエンジンのトルクが伝達されて回転可能なクラッチピストン１１から成り、当該クラッチピストン１１が連結位置のとき、エンジンのトルクをトルクコンバータ１のタービン３に伝達可能とされたので、トルクコンバータ１のロックアップクラッチ装置１０に適用することができる。
【００４４】
以上、本実施形態について説明したが、本発明はこれに限定されず、例えば互いに独立して回転可能な別体部材を３つ以上設け、その３つ以上の別体部材をそれぞれ介してダンパスプリングが直列に作用するよう構成してもよい。また、本実施形態においては、ダンパスプリングの外周側に第１別体部材１４が設けられ、当該ダンパスプリングの内周側に第２別体部材１５が設けられているが、これに代えて、ダンパスプリングの外周側に第２別体部材を設け、当該ダンパスプリングの内周側に第１別体部材を設けるようにしてもよい。この場合、入力部材、第１ダンパスプリングＳ１、第２別体部材、第２ダンパスプリングＳ２、第１別体部材、第３ダンパスプリングの順で動力が伝達されることとなる。
【００４５】
また、本実施形態においては、ロックアップクラッチ装置１０に適用されているが、入力部材及びダンパスプリングを介してエンジンの駆動力が伝達され、当該ダンパスプリングにてトルクの変動を吸収し得るトルクダンパ装置であれば、種々形態のもの（例えば、トルクコンバータを具備しない車両に配設され、エンジンのトルクを伝達する過程でトルク変動を吸収し得るもの等）に適用することができる。なお、本実施形態においては、入力部材（ロックアップクラッチ装置１０）の左右の群にそれぞれ３つのダンパスプリングが取り付けられているが、取り付けられるダンパスプリングの数やその群等は限定されない。
【産業上の利用可能性】
【００４６】
ダンパスプリングは、入力部材の周方向に亘って配設された複数のコイルスプリングから成るとともに、それぞれのダンパスプリングの間に介在し、エンジンのトルクが伝達されると互いに独立して回転可能な複数の別体部材を有するトルクダンパ装置であれば、外観形状が異なるもの或いは他の機能が付加されたもの等にも適用することができる。
【符号の説明】
【００４７】
１    トルクコンバータ
２    ポンプ
３    タービン
４    ステータ
５    トルコンカバー
６    出力軸
７    ステータシャフト
８    一方向クラッチ
９  連結部
１０  ロックアップクラッチ装置
１１  クラッチピストン（入力部材）
１２  摩擦材
１３  ダンパホルダ
１４  第１別体部材
１５  第２別体部材
Ｓ１  第１ダンパスプリング
Ｓ２  第２ダンパスプリング
Ｓ３  第３ダンパスプリング
【図１】
2014156923.tif 000003
【図２】
2014156923.tif 000004
【図３】
2014156923.tif 000005
【図４】
2014156923.tif 000006
【図５】
2014156923.tif 000007
【図６】
2014156923.tif 000008
【図７】
2014156923.tif 000009
【図８】
2014156923.tif 000010
【図９】
2014156923.tif 000011
【図１０】
2014156923.tif 000012
【図１１】
2014156923.tif 000013
【図１２】
2014156923.tif 000014
【図１３】
2014156923.tif 000015
【図１４】
2014156923.tif 000016
【図１５】
2014156923.tif 000017
【図１６】
2014156923.tif 000018
【図１７】
2014156923.tif 000019
【図１８】
2014156923.tif 000020
【図１９】
2014156923.tif 000021